(57)【要約】      （修正有）【課題】熱画像が表示可能なウェアラブル装置を提供する。【解決手段】本考案の熱画像が表示可能なウェアラブル装置１００は、第１表示装置１０と、第２表示装置２０と、レンズモジュール３０と、サーモグラフィーカメラ４０とを備える。第２表示装置は第１表示装置に隣接し、レンズモジュールにより視覚範囲内の可視光画像がキャプチャされると共に可視光画像が第１表示装置に伝送されて第１表示装置に表示される。サーモグラフィーカメラにより視覚範囲内の熱画像がキャプチャされると共に前記熱画像が前記第２表示装置に伝送されて前記第２表示装置に表示される。【選択図】図１
0003214538.tif 000002
【実用新案登録請求の範囲】
【請求項１】
ヘッドバンドを有する本体と、
前記本体に設置される第１表示装置と、
前記本体に設置され、且つ前記第１表示装置に隣接する第２表示装置と、
視覚範囲内の可視光画像をキャプチャさせると共に前記可視光画像を前記第１表示装置に伝送させて前記第１表示装置に表示させるためのレンズモジュールと、
前記視覚範囲内の熱画像をキャプチャさせると共に前記熱画像を前記第２表示装置に伝送させて前記第２表示装置に表示させるためのサーモグラフィーカメラとを備えることを特徴とする熱画像が表示可能なウェアラブル装置。
【請求項２】
制御基板を更に備え、前記レンズモジュールによりキャプチャされた前記可視光画像が前記制御基板により前記第１表示装置に伝送され、前記サーモグラフィーカメラによりキャプチャされた前記熱画像が前記制御基板により前記第２表示装置に伝送されることを特徴とする、請求項１に記載の熱画像が表示可能なウェアラブル装置。
【請求項３】
前記制御基板はフォトルミネッセンス信号制御基板であることを特徴とする、請求項１に記載の熱画像が表示可能なウェアラブル装置。
【請求項４】
前記第１表示装置、前記第２表示装置、前記レンズモジュール、及び前記サーモグラフィーカメラに接続されるプロセッサーを更に備えることを特徴とする、請求項１に記載の熱画像が表示可能なウェアラブル装置。
【請求項５】
前記プロセッサーに接続され、ジェスチャーの検知及び認識に用いられるジェスチャー認識モジュールを更に備えることを特徴とする、請求項４に記載の熱画像が表示可能なウェアラブル装置。
【請求項６】
前記プロセッサーは、外部装置から入力された画像信号を受信させると共に前記画像信号を前記第１表示装置及び前記第２表示装置に伝送させて再生するための入力ポートを更に備えることを特徴とする、請求項４に記載の熱画像が表示可能なウェアラブル装置。
【請求項７】
前記入力ポートは高精細度マルチメディアインターフェース入力ポート(High Definition Multimedia Interface、HDMI)であることを特徴とする、請求項６に記載の熱画像が表示可能なウェアラブル装置。
【請求項８】
前記プロセッサーに接続され、且つ前記プロセッサーにより前記第１表示装置及び前記第２表示装置に対して給電が行われる電源を更に備えることを特徴とする、請求項４に記載の熱画像が表示可能なウェアラブル装置。
【請求項９】
前記プロセッサーに接続される電源制御基板を更に備え、外部電源が前記電源制御基板を介して前記プロセッサーに接続されることを特徴とする、請求項４に記載の熱画像が表示可能なウェアラブル装置。
【請求項１０】
前記本体に設置されると共に前記プロセッサーに接続される少なくとも１つのスピーカーを更に備え、前記プロセッサーにより音声信号が前記スピーカーに出力されることを特徴とする、請求項４に記載の熱画像が表示可能なウェアラブル装置。
【請求項１１】
前記スピーカーの音量調整に用いられる１組の音量調整ボタンを更に備えることを特徴とする、請求項１０に記載の熱画像が表示可能なウェアラブル装置。
【請求項１２】
前記プロセッサーに接続されるマイクロフォンを更に備え、前記マイクロフォンにより音声が収音された後に音声信号に変換され、且つ前記プロセッサーに伝送されることを特徴とする、請求項４に記載の熱画像が表示可能なウェアラブル装置。
【請求項１３】
前記プロセッサーに接続される保存装置を更に備えることを特徴とする、請求項４に記載の熱画像が表示可能なウェアラブル装置。
【請求項１４】
前記保存装置はメモリーカードを備えることを特徴とする、請求項１３に記載の熱画像が表示可能なウェアラブル装置。
【請求項１５】
前記本体は、前記メモリーカードを挿設させるためのメモリーカードスロットを備えることを特徴とする、請求項１４に記載の熱画像が表示可能なウェアラブル装置。
【請求項１６】
前記プロセッサーに接続される無線信号送受信モジュールを更に備え、前記無線信号送受信モジュールはワイヤレスネットワークを通してバックエンド管理システムに接続されることを特徴とする、請求項４に記載の熱画像が表示可能なウェアラブル装置。
【請求項１７】
前記可視光画像及び前記熱画像が前記プロセッサーに伝送され、且つ前記無線信号送受信モジュールにより前記バックエンド管理システムに伝送されることを特徴とする、請求項１６に記載の熱画像が表示可能なウェアラブル装置。
【請求項１８】
前記熱画像は複数組の色の組み合わせの中から１組が選択されて、前記熱画像を表示させる色とすることを特徴とする、請求項１に記載の熱画像が表示可能なウェアラブル装置。
【請求項１９】
前記熱画像に表示される温度は所定の温度範囲内の温度であることを特徴とする、請求項１に記載の熱画像が表示可能なウェアラブル装置。
【請求項２０】
前記本体に設置される電源スイッチボタンを更に備えることを特徴とする、請求項１に記載の熱画像が表示可能なウェアラブル装置。
【請求項２１】
前記本体に設置される２Ｄ／３Ｄ切り換えボタンを更に備えることを特徴とする、請求項１に記載の熱画像が表示可能なウェアラブル装置。
【請求項２２】
前記本体に設置される加入者識別モジュール(subscriber identity module、 SIM)を更に備えることを特徴とする、請求項１に記載の熱画像が表示可能なウェアラブル装置。
【考案の詳細な説明】
【技術分野】
【０００１】
本考案は、ウェアラブル装置に関し、より詳しくは、熱画像が表示可能なウェアラブル装置（Wearable Device Capable of Thermal Imaging）に関する。
【背景技術】
【０００２】
ウェアラブル装置は広く受け入れられており、従来のウェアラブル装置としてはスマートウォッチ、スマートリストバンド以外、ヘッドマウント型の小型端末が最も人気がある。ヘッドマウント型の小型端末は仮想現実や拡張現実等のアプリケーションプログラムを実行でき、多方面に応用されている。
【考案の概要】
【考案が解決しようとする課題】
【０００３】
本考案は、熱画像が表示可能なウェアラブル装置を提供することを主目的とする。可視光用のレンズモジュール及びサーモグラフィーカメラを備える。可視光用のレンズモジュールは環境の画像が撮影可能であり、サーモグラフィーカメラは環境中の人物や物体の温度を感知させると共に環境の可視光画像及びそれに対応する熱画像をウェアラブル装置のディスプレイに一緒に表示させ、使用者が環境中の人物の体温や物体の温度を知ることができるようにする。
【課題を解決するための手段】
【０００４】
なお、本考案の好ましい実施形態に係る熱画像が表示可能なウェアラブル装置は、本体と、第１表示装置と、第２表示装置と、レンズモジュールとサーモグラフィーカメラとを備える。本体はヘッドバンドを含み、第１表示装置は前記本体に設置され、第２表示装置は前記本体に設置されると共に第１表示装置に隣接する。レンズモジュールにより視覚範囲内の可視光画像がキャプチャされると共に可視光画像が第１表示装置に伝送されて第１表示装置に表示される。サーモグラフィーカメラにより視覚範囲内の熱画像がキャプチャされると共に前記熱画像が前記第２表示装置に伝送されて前記第２表示装置に表示されることを特徴とする。
【０００５】
他の好ましい実施態様において、本考案に係る熱画像が表示可能なウェアラブル装置は制御基板を更に備え、前記レンズモジュールによりキャプチャされた前記可視光画像が前記制御基板により前記第１表示装置に伝送され、前記サーモグラフィーカメラによりキャプチャされた前記熱画像が前記制御基板により前記第２表示装置に伝送される。前記制御基板はフォトルミネッセンス信号制御基板である。
【０００６】
他の好ましい実施態様において、本考案に係る熱画像が表示可能なウェアラブル装置は、前記第１表示装置、前記第２表示装置、前記レンズモジュール、及び前記サーモグラフィーカメラに接続されるプロセッサーを更に備える。
【０００７】
他の好ましい実施態様において、本考案に係る熱画像が表示可能なウェアラブル装置は、前記プロセッサーに接続され、ジェスチャーの検知及び認識に用いられるジェスチャー認識モジュールを更に備える。
【０００８】
他の好ましい実施態様において、前記プロセッサーは、外部装置から入力された画像信号を受信させると共に前記画像信号を前記第１表示装置及び前記第２表示装置に伝送させて再生するための入力ポートを更に備える。入力ポートは高精細度マルチメディアインターフェース入力ポート(High Definition Multimedia Interface、HDMI)である。
【０００９】
他の好ましい実施態様において、本考案に係る熱画像が表示可能なウェアラブル装置は、前記プロセッサーに接続され、且つ前記プロセッサーにより前記第１表示装置及び前記第２表示装置に対して給電が行われる電源を更に備える。
【００１０】
他の好ましい実施態様において、本考案に係る熱画像が表示可能なウェアラブル装置は、前記プロセッサーに接続される電源制御基板を更に備え、外部電源が前記電源制御基板を介して前記プロセッサーに接続される。
【００１１】
他の好ましい実施態様において、本考案に係る熱画像が表示可能なウェアラブル装置は、前記プロセッサーに接続される少なくとも１つのスピーカーを更に備え、前記プロセッサーにより音声信号が前記スピーカーに出力される。また、本考案に係る熱画像が表示可能なウェアラブル装置は、前記スピーカーの音量調整に用いられる１組の音量調整ボタンを更に備える。
【００１２】
他の好ましい実施態様において、本考案に係る熱画像が表示可能なウェアラブル装置は、前記プロセッサーに接続されるマイクロフォンを更に備え、前記マイクロフォンにより音声が収音された後に音声信号に変換され、且つ前記プロセッサーに伝送される。
【００１３】
他の好ましい実施態様において、本考案に係る熱画像が表示可能なウェアラブル装置は、前記プロセッサーに接続される保存装置を更に備える。保存装置はメモリーカードを含み、本体は前記メモリーカードが挿設されるメモリーカードスロットを具備する。
【００１４】
他の好ましい実施態様において、本考案に係る熱画像が表示可能なウェアラブル装置は、前記プロセッサーに接続される無線信号送受信モジュールを更に備え、前記無線信号送受信モジュールはワイヤレスネットワークを通してバックエンド管理システムに接続される。
【００１５】
他の好ましい実施態様において、前記可視光画像及び前記熱画像が前記プロセッサーに伝送され、且つ前記無線信号送受信モジュールにより前記バックエンド管理システムに伝送される。
【００１６】
他の好ましい実施態様において、前記熱画像は複数組の色の組み合わせの中から１組が選択されて、前記熱画像を表示させる色とする。
【００１７】
他の好ましい実施態様において、前記熱画像に表示される温度は所定の温度範囲内の温度である。
【００１８】
他の好ましい実施態様において、本考案に係る熱画像が表示可能なウェアラブル装置は、前記本体に設置される電源スイッチボタンを更に備える。
【００１９】
他の好ましい実施態様において、本考案に係る熱画像が表示可能なウェアラブル装置は、前記本体に設置される２Ｄ／３Ｄ切り換えボタンを更に備える。
【００２０】
他の好ましい実施態様において、本考案に係る熱画像が表示可能なウェアラブル装置は、前記本体に設置される加入者識別モジュール(subscriber identity module、 SIM)を更に備える。
【図面の簡単な説明】
【００２１】
【図１】本考案に係る熱画像が表示可能なウェアラブル装置を説明するブロック図である。
【図２】本考案に係る熱画像が表示可能なウェアラブル装置を説明する外観斜視図である。
【図３】図２の正面図である。
【図４】図２の上面図である。
【図５】図２の底面図である。
【考案を実施するための形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００２３】
以下に、図１〜４を参照しながら、本考案の熱画像が表示可能なウェアラブル装置をさらに詳しく説明する。本考案の一実施形態に係る熱画像が表示可能なウェアラブル装置１００は、第１表示装置１０と、第２表示装置２０と、レンズモジュール３０と、サーモグラフィーカメラ４０とを備える。第２表示装置２０は第１表示装置１０に隣接する。レンズモジュール３０により視覚範囲内の可視光画像がキャプチャされると共に可視光画像が第１表示装置１０に伝送されて第１表示装置１０に表示される。サーモグラフィーカメラ４０により同様に前記視覚範囲内の熱画像がキャプチャされると共に前記熱画像が第２表示装置２０に伝送されて第２表示装置２０に表示される（図１参照）。
【００２４】
図１に示されるように、レンズモジュール３０及びサーモグラフィーカメラ４０は制御基板５０を介して第１表示装置１０及び第２表示装置２０に接続される。レンズモジュール３０によりキャプチャされた可視光画像は制御基板５０により第１表示装置１０に伝送され、サーモグラフィーカメラ４０によりキャプチャされた熱画像は制御基板５０により第２表示装置２０に伝送される。本実施態様において、制御基板５０はフォトルミネッセンス信号制御基板である。このため、レンズモジュール３０及びサーモグラフィーカメラ４０によりキャプチャされた画像は第１表示装置１０及び第２表示装置２０に直接伝送され、使用者は第１表示装置１０及び第２表示装置２０を使用して前方の画像を直接観察でき、且つ第１表示装置１０及び第２表示装置２０は併設されているため、使用者は可視光画像及び熱画像を比較観察することができる。これにより、どの人物または物体の温度かを識別可能になる。熱画像は複数組の色の組み合わせの中から１組が選択されて熱画像を表示させる色とする。例えば、高温は赤色で表示され、低温は青色で表示され、赤色と青色との間の各色で異なる温度が表示されるか、或いはグレースケールで表示され、即ち、温度が高い程白色に近くなり、温度が低い程黒色に近くなる。また、表示される熱画像の温度範囲は予め設定される。例えば、最高表示温度が３５℃と設定され、最低表示温度が２０℃と設定され、即ち、２０℃~３５℃の範囲内の温度が異なる色で表示される。３５℃以上または２０℃以下では、３５℃及び２０℃とそれぞれ同じ色で表示され、こうして温度変化の表示が希望する範囲内に設定される。例えば、人体の体温の検知では３７℃と３１℃との間に設定され、熱画像から正常な体温３７℃を超えている人物がいるかどうかを判断可能になる。
【００２５】
なお、本考案の熱画像が表示可能なウェアラブル装置１００はプロセッサー６０を更に備える。プロセッサー６０は制御基板５０に接続され、且つ制御基板５０を介して第１表示装置１０、第２表示装置２０、レンズモジュール３０、及びサーモグラフィーカメラ４０に接続される（図１参照）。プロセッサー６０は、外部装置から入力される画像信号を受信させると共に画像信号を第１表示装置１０及び第２表示装置２０に伝送させて再生させるための入力ポート６２を含む。本実施態様において、入力ポート６２は高精細度マルチメディアインターフェース入力ポート(High Definition Multimedia Interface、HDMI)である。また、本考案の熱画像が表示可能なウェアラブル装置１００は、プロセッサー６０に接続され、且つジェスチャーの検知及び認識に用いられるジェスチャー認識モジュール７０を更に備える。ジェスチャー認識モジュール７０によりジェスチャーが検知されると、最適な演算法によりジェスチャーが認識され、且つ制御信号が出力される。例えば、使用者がゲーム等の仮想現実または拡張現実のプログラムを実行すると、ジェスチャー操作が結合されて、ゲームの進行を制御できる。
【００２６】
また、本考案の熱画像が表示可能なウェアラブル装置１００は、プロセッサー６０に接続されるスピーカー８０を更に備え、プロセッサー６０により音声信号がスピーカー８０に出力される。本考案に係る熱画像が表示可能なウェアラブル装置１００は、プロセッサー６０に接続されるマイクロフォン９０を更に含み、マイクロフォン９０により音声が収音された後に音声信号に変換されると共にプロセッサー６０に伝送される。スピーカー８０のほか、本考案に係る熱画像が表示可能なウェアラブル装置１００はヘッドフォンジャックも有し、ヘッドフォンも挿設可能である。使用者はスピーカー８０を使用して音声を聞き取り、マイクロフォン９０を使用して音声を入力する。なお、本考案の熱画像が表示可能なウェアラブル装置１００は、プロセッサー６０に接続される無線信号送受信モジュール１１０を更に具備し、無線信号送受信モジュール１１０はワイヤレスネットワークを通してバックエンド管理システムに接続される。レンズモジュール３０により生成される可視光画像及びサーモグラフィーカメラ４０により生成される熱画像はプロセッサー６０に伝送され、且つ無線信号送受信モジュール１１０によりバックエンド管理システムに伝送され、バックエンド管理システムの使用者が現場の状況を同期で観察できる。或いは、バックエンド管理システムにより適切な管理が行われ、例えば、環境中の人物が発熱しているかを監視し、検疫効果を達成させる。使用者は無線信号送受信モジュール１１０を利用してバックエンド管理システムの人員と通信可能である。
【００２７】
さらに、本考案の熱画像が表示可能なウェアラブル装置１００は、プロセッサー６０に接続される電源１２０を更に備え、且つプロセッサー６０により第１表示装置１０及び第２表示装置２０に対して給電が行われる。本実施態様において、電源１２０は電池である。他の実施態様において、本考案の熱画像が表示可能なウェアラブル装置１００は、プロセッサー６０に接続される電源制御基板１３０を更に含み、外部電源は電源制御基板１３０を介してプロセッサー６０に接続される。これにより、外部電源から本考案に係る熱画像が表示可能なウェアラブル装置１００に対して給電が行われ、或いは電源１２０に対して充電が行われる。
【００２８】
また、本考案の熱画像が表示可能なウェアラブル装置１００は、保存装置を更に備える。メモリーカードが抜き差しされて、プログラムコードやデータが保存され、プロセッサー６０によりアクセスされる。
【００２９】
図２は本考案の熱画像が表示可能なウェアラブル装置１００を示す外観斜視図であり、図３は図２の正面図であり、図４は図２の上面図であり、図５は図２の底面図である。本考案の熱画像が表示可能なウェアラブル装置１００は、本体１５０を備える。本体１５０は円弧状を呈し、上方にはヘッドバンド１５２を有し、使用者が頭部に装着可能になる。レンズモジュール３０及びサーモグラフィーカメラ４０は本体１５０の正面に設置され、ジェスチャー認識モジュール７０も本体１５０の正面に設置され、且つレンズモジュール３０及びサーモグラフィーカメラ４０の下方に位置される。また、本考案の熱画像が表示可能なウェアラブル装置１００は、電源スイッチボタン１０２と、音量調整ボタン１０４と、２Ｄ／３Ｄ切り換えボタン１０６とを更に含み、本体１５０の上表面に設置される。電源スイッチボタン１０２により電源のオンオフが制御され、音量調整ボタン１０４によりスピーカー８０またはヘッドフォンの音量が制御され、２Ｄ／３Ｄ切り換えボタン１０６によりゲームの２Ｄ／３Ｄ画面が切り換えられるか、或いは他のアプリケーションプログラムの２Ｄ／３Ｄが切り換えられる。また、本体１５０の上表面の中間部にはメモリーカードスロット１０８が形成され、保存装置とするメモリーカードが挿設される。なお、本体１５０には加入者識別モジュール(subscriber identity module、 SIM)が設置され、使用者は本考案に係る熱画像が表示可能なウェアラブル装置１００を携帯通信装置とすることができる。本体１５０の下表面にはヘッドフォンジャック１０３、ＵＳＢポート１０５、及び外部電源ジャック１０７が設けられる。
【００３０】
本考案の熱画像が表示可能なウェアラブル装置１００は、可視光用のレンズモジュール３０及びサーモグラフィーカメラ４０を備えることで、環境の可視光画像及び熱画像を同時にキャプチャして表示することができる。また、環境の可視光画像及びそれに対応する熱画像がウェアラブル装置のディスプレイに一緒に表示されて、使用者が環境中の人物の体温や物体の温度を知ることができるようにし、検疫や検知機能を達成させる。
【００３１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３２】
１０  第１表示装置
２０  第２表示装置
３０  レンズモジュール
４０  サーモグラフィーカメラ
５０  制御基板
６０  プロセッサー
６２  入力ポート
７０  ジェスチャー認識モジュール
８０  スピーカー
９０  マイクロフォン
１００  ウェアラブル装置
１０２  電源スイッチボタン
１０３  ヘッドフォンジャック
１０４  音量調整ボタン
１０５  ＵＳＢポート
１０６  ２Ｄ／３Ｄ切り換えボタン
１０７  外部電源ジャック
１１０  無線信号送受信モジュール
１２０  電源
１３０  電源制御基板
１５０  本体
１５２  ヘッドバンド
【図１】
0003214538.tif 000003
【図２】
0003214538.tif 000004
【図３】
0003214538.tif 000005
【図４】
0003214538.tif 000006
【図５】
0003214538.tif 000007
【手続補正書】
【提出日】平成29年11月10日(2017.11.10)
【手続補正１】
【補正対象書類名】実用新案登録請求の範囲
【補正対象項目名】全文
【補正方法】変更
【補正の内容】
【実用新案登録請求の範囲】
【請求項１】
ヘッドバンドを有する本体と、
前記本体に設置される第１表示装置と、
前記本体に設置され、且つ前記第１表示装置に隣接する第２表示装置と、
視覚範囲内の可視光画像をキャプチャさせると共に前記可視光画像を前記第１表示装置に伝送させて前記第１表示装置に表示させるためのレンズモジュールと、
前記視覚範囲内の熱画像をキャプチャさせると共に前記熱画像を前記第２表示装置に伝送させて前記第２表示装置に表示させるためのサーモグラフィーカメラとを備えることを特徴とする熱画像が表示可能なウェアラブル装置。
【請求項２】
制御基板を更に備え、前記レンズモジュールによりキャプチャされた前記可視光画像が前記制御基板により前記第１表示装置に伝送され、前記サーモグラフィーカメラによりキャプチャされた前記熱画像が前記制御基板により前記第２表示装置に伝送されることを特徴とする、請求項１に記載の熱画像が表示可能なウェアラブル装置。
【請求項３】
前記制御基板はフォトルミネッセンス信号制御基板であることを特徴とする、請求項２に記載の熱画像が表示可能なウェアラブル装置。
【請求項４】
前記第１表示装置、前記第２表示装置、前記レンズモジュール、及び前記サーモグラフィーカメラに接続されるプロセッサーを更に備えることを特徴とする、請求項１に記載の熱画像が表示可能なウェアラブル装置。
【請求項５】
前記プロセッサーに接続され、ジェスチャーの検知及び認識に用いられるジェスチャー認識モジュールを更に備えることを特徴とする、請求項４に記載の熱画像が表示可能なウェアラブル装置。
【請求項６】
前記プロセッサーは、外部装置から入力された画像信号を受信させると共に前記画像信号を前記第１表示装置及び前記第２表示装置に伝送させて再生するための入力ポートを更に備えることを特徴とする、請求項４に記載の熱画像が表示可能なウェアラブル装置。
【請求項７】
前記入力ポートは高精細度マルチメディアインターフェース入力ポート(High Definition Multimedia Interface、HDMI)であることを特徴とする、請求項６に記載の熱画像が表示可能なウェアラブル装置。
【請求項８】
前記プロセッサーに接続され、且つ前記プロセッサーにより前記第１表示装置及び前記第２表示装置に対して給電が行われる電源を更に備えることを特徴とする、請求項４に記載の熱画像が表示可能なウェアラブル装置。
【請求項９】
前記プロセッサーに接続される電源制御基板を更に備え、外部電源が前記電源制御基板を介して前記プロセッサーに接続されることを特徴とする、請求項４に記載の熱画像が表示可能なウェアラブル装置。
【請求項１０】
前記本体に設置されると共に前記プロセッサーに接続される少なくとも１つのスピーカーを更に備え、前記プロセッサーにより音声信号が前記スピーカーに出力されることを特徴とする、請求項４に記載の熱画像が表示可能なウェアラブル装置。
【請求項１１】
前記スピーカーの音量調整に用いられる１組の音量調整ボタンを更に備えることを特徴とする、請求項１０に記載の熱画像が表示可能なウェアラブル装置。
【請求項１２】
前記プロセッサーに接続されるマイクロフォンを更に備え、前記マイクロフォンにより音声が収音された後に音声信号に変換され、且つ前記プロセッサーに伝送されることを特徴とする、請求項４に記載の熱画像が表示可能なウェアラブル装置。
【請求項１３】
前記プロセッサーに接続される保存装置を更に備えることを特徴とする、請求項４に記載の熱画像が表示可能なウェアラブル装置。
【請求項１４】
前記保存装置はメモリーカードを備えることを特徴とする、請求項１３に記載の熱画像が表示可能なウェアラブル装置。
【請求項１５】
前記本体は、前記メモリーカードを挿設させるためのメモリーカードスロットを備えることを特徴とする、請求項１４に記載の熱画像が表示可能なウェアラブル装置。
【請求項１６】
前記プロセッサーに接続される無線信号送受信モジュールを更に備え、前記無線信号送受信モジュールはワイヤレスネットワークを通してバックエンド管理システムに接続されることを特徴とする、請求項４に記載の熱画像が表示可能なウェアラブル装置。
【請求項１７】
前記可視光画像及び前記熱画像が前記プロセッサーに伝送され、且つ前記無線信号送受信モジュールにより前記バックエンド管理システムに伝送されることを特徴とする、請求項１６に記載の熱画像が表示可能なウェアラブル装置。
【請求項１８】
前記熱画像は複数組の色の組み合わせの中から１組が選択されて、前記熱画像を表示させる色とすることを特徴とする、請求項１に記載の熱画像が表示可能なウェアラブル装置。
【請求項１９】
前記熱画像に表示される温度は所定の温度範囲内の温度であることを特徴とする、請求項１に記載の熱画像が表示可能なウェアラブル装置。
【請求項２０】
前記本体に設置される電源スイッチボタンを更に備えることを特徴とする、請求項１に記載の熱画像が表示可能なウェアラブル装置。
【請求項２１】
前記本体に設置される２Ｄ／３Ｄ切り換えボタンを更に備えることを特徴とする、請求項１に記載の熱画像が表示可能なウェアラブル装置。
【請求項２２】
前記本体に設置される加入者識別モジュール(subscriber identity module、 SIM)を更に備えることを特徴とする、請求項１に記載の熱画像が表示可能なウェアラブル装置。